【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
映像信号を表示する表示部と、当該表示部の周囲の外光の照度を検出する外光検出部とを備えた映像表示装置であって、
前記外光検出部で検出された照度検出値を取得する取得手段と、
前記表示部に表示する映像信号のフレームデータ毎の平均輝度値を算出する算出手段と、
前記算出手段で算出される平均輝度値が低輝度となる低輝度映像信号及び高輝度となる高輝度映像信号を前記表示部にそれぞれ表示させる表示手段と、
前記表示手段によって前記低輝度映像信号及び前記高輝度映像信号をそれぞれ表示した際に前記取得手段で取得した照度検出値と、前記低輝度映像信号及び前記高輝度映像信号の平均輝度値とを用いて、前記表示部に映像を表示することで生じる反射光照度を決定する決定手段と、
前記反射光照度と前記平均輝度値とを用いて、前記表示部に表示する映像信号の表示輝度を低減させる補正制御を実行する制御手段と、を有し、
前記制御手段は、前記平均輝度値が第１の閾値よりも大きい場合であり、かつ前記反射光照度が大きい場合における前記表示輝度の低減度合いを、当該反射光照度が小さい場合における前記表示輝度の低減度合いに比べて大きくなるように補正制御を実行することを特徴とする映像表示装置。
【請求項２】
前記平均輝度値に基づいて、前記制御手段で利用される第１調整値をフレームデータ毎に生成する第１調整値生成手段と、
前記反射光照度に基づいて、前記制御手段で利用される第２調整値を生成する第２調整値生成手段と、を有し、
前記第１調整値は、前記平均輝度値が前記第１の閾値より大きい場合の、前記映像信号の表示輝度の低減率に相当するパラメータであり、
前記第２調整値は、前記反射光照度が第２の閾値より大きい場合に、前記低減率を調整するパラメータであり、
前記制御手段は、前記第１調整値と前記第２調整値とを用いて、映像信号の表示輝度の補正制御に用いる低減率を決定することを特徴とする請求項１に記載の映像表示装置。
【請求項３】
前記第２調整値生成手段は、前記反射光照度を、前記外光検出部で検出された前記照度検出値から前記反射光照度を減じることで得られる環境光の照度で除した値に基づいて、前記第２調整値を生成することを特徴とする請求項２に記載の映像表示装置。
【請求項４】
映像信号を表示する表示部と、当該表示部の周囲の外光の照度を検出する外光検出部とを備えた映像表示装置であって、
前記外光検出部で検出された照度検出値を取得する取得手段と、
前記表示部に表示する映像信号のフレームデータ毎の平均輝度値を算出する第１の算出手段と、
前記平均輝度値と予め定められた閾値Ｓ３及び閾値Ｓ４（Ｓ３＜Ｓ４）とを比較し、前記平均輝度値が閾値Ｓ３より小さい場合には、当該平均輝度値Ａ１及び当該平均輝度値Ａ１の映像信号を前記表示部に表示した際の照度検出値Ｂ１とを対応付けるとともに、前記平均輝度値が閾値Ｓ４より大きい場合には、当該平均輝度値Ａ２及び当該平均輝度値Ａ２の映像信号を前記表示部に表示した際の照度検出値Ｂ２とを対応付けて保持部に保持する判別手段と、
前記保持部に保持された前記平均輝度値Ａ１及び前記照度検出値Ｂ１の組と、前記平均輝度値Ａ２及び前記照度検出値Ｂ２の組とを用いて、前記表示部に映像を表示することで生じる反射光照度Ｃを
Ｃ＝（Ｂ２−Ｂ１）／（Ａ２−Ａ１）
により求める第２の算出手段と、
前記反射光照度Ｃと前記平均輝度値とを用いて、前記表示部に表示する映像信号の表示輝度を低減させる補正制御を実行する制御手段と、を有し、
前記制御手段は、前記平均輝度値が第１の閾値よりも大きい場合であり、かつ前記反射光照度Ｃが大きい場合における前記表示輝度の低減度合いを、当該反射光照度Ｃが小さい場合における前記表示輝度の低減度合いに比べて大きくなるように補正制御を実行することを特徴とする映像表示装置。
【請求項５】
映像信号を表示する表示部と、当該表示部の周囲の外光の照度を検出する外光検出部とを備えた映像表示装置の制御方法であって、
前記外光検出部で検出された照度検出値を取得する取得工程と、
前記表示部に表示する映像信号のフレームデータ毎の平均輝度値を算出する算出工程と、
前記算出工程で算出される平均輝度値が低輝度となる低輝度映像信号及び高輝度となる高輝度映像信号を前記表示部にそれぞれ表示させる表示工程と、
前記表示工程によって前記低輝度映像信号及び前記高輝度映像信号をそれぞれ表示した際に前記取得工程で取得した照度検出値と、前記低輝度映像信号及び前記高輝度映像信号の平均輝度値とを用いて、前記表示部に映像を表示することで生じる反射光照度を決定する決定工程と、
前記反射光照度と前記平均輝度値とを用いて、前記表示部に表示する映像信号の表示輝度を低減させる補正制御を実行する制御工程と、を有し、
前記制御工程では、前記平均輝度値が第１の閾値よりも大きい場合であり、かつ前記反射光照度が大きい場合における前記表示輝度の低減度合いを、当該反射光照度が小さい場合における前記表示輝度の低減度合いに比べて大きくなるように補正制御を実行することを特徴とする映像表示装置の制御方法。
【請求項６】
前記平均輝度値に基づいて、前記制御手段で利用される第１調整値をフレームデータ毎に生成する第１調整値生成工程と、
前記反射光照度に基づいて、前記制御工程で利用される第２調整値を生成する第２調整値生成工程と、を有し、
前記第１調整値は、前記平均輝度値が前記第１の閾値より大きい場合の、前記映像信号の表示輝度の低減率に相当するパラメータであり、
前記第２調整値は、前記反射光照度が第２の閾値より大きい場合に、前記低減率を調整するパラメータであり、
前記制御工程では、前記第１調整値と前記第２調整値とを用いて、映像信号の表示輝度の補正制御に用いる低減率を決定することを特徴とする請求項５に記載の映像表示装置の制御方法。
【請求項７】
前記第２調整値生成工程では、前記反射光照度を、前記外光検出部で検出された前記照度検出値から前記反射光照度を減じることで得られる環境光の照度で除した値に基づいて、前記第２調整値を生成することを特徴とする請求項６に記載の映像表示装置の制御方法。
【請求項８】
映像信号を表示する表示部と、当該表示部の周囲の外光の照度を検出する外光検出部とを備えた映像表示装置の制御方法であって、
前記外光検出部で検出された照度検出値を取得する取得工程と、
前記表示部に表示する映像信号のフレームデータ毎の平均輝度値を算出する第１の算出工程と、
前記平均輝度値と予め定められた閾値Ｓ３及び閾値Ｓ４（Ｓ３＜Ｓ４）とを比較し、前記平均輝度値が閾値Ｓ３より小さい場合には、当該平均輝度値Ａ１及び当該平均輝度値Ａ１の映像信号を前記表示部に表示した際の照度検出値Ｂ１とを対応付けるとともに、前記平均輝度値が閾値Ｓ４より大きい場合には、当該平均輝度値Ａ２及び当該平均輝度値Ａ２の映像信号を前記表示部に表示した際の照度検出値Ｂ２とを対応付けて保持部に保持する判別工程と、
前記保持部に保持された前記平均輝度値Ａ１及び前記照度検出値Ｂ１の組と、前記平均輝度値Ａ２及び前記照度検出値Ｂ２の組とを用いて、前記表示部に映像を表示することで生じる反射光照度Ｃを
Ｃ＝（Ｂ２−Ｂ１）／（Ａ２−Ａ１）
により求める第２の算出工程と、
前記反射光照度Ｃと前記平均輝度値とを用いて、前記表示部に表示する映像信号の表示輝度を低減させる補正制御を実行する制御工程と、を有し、
前記制御工程では、前記平均輝度値が第１の閾値よりも大きい場合であり、かつ前記反射光照度Ｃが大きい場合における前記表示輝度の低減度合いを、当該反射光照度Ｃが小さい場合における前記表示輝度の低減度合いに比べて大きくなるように補正制御を実行することを特徴とする映像表示装置の制御方法。
【手続補正２】
【補正対象書類名】明細書
【補正対象項目名】００１２
【補正方法】変更
【補正の内容】
【００１２】
上記目的を達成するために、本発明の映像表示装置は、映像信号を表示する表示部と、当該表示部の周囲の外光の照度を検出する外光検出部とを備えた映像表示装置であって、前記外光検出部で検出された照度検出値を取得する取得手段と、前記表示部に表示する映像信号のフレームデータ毎の平均輝度値を算出する算出手段と、前記算出手段で算出される平均輝度値が低輝度となる低輝度映像信号及び高輝度となる高輝度映像信号を前記表示部にそれぞれ表示させる表示手段と、前記表示手段によって前記低輝度映像信号及び前記高輝度映像信号をそれぞれ表示した際に前記取得手段で取得した照度検出値と、前記低輝度映像信号及び前記高輝度映像信号の平均輝度値とを用いて、前記表示部に映像を表示することで生じる反射光照度を決定する決定手段と、前記反射光照度と前記平均輝度値とを用いて、前記表示部に表示する映像信号の表示輝度を低減させる補正制御を実行する制御手段と、を有し、前記制御手段は、前記平均輝度値が第１の閾値よりも大きい場合であり、かつ前記反射光照度が大きい場合における前記表示輝度の低減度合いを、当該反射光照度が小さい場合における前記表示輝度の低減度合いに比べて大きくなるように補正制御を実行することを特徴とする。
【手続補正３】
【補正対象書類名】明細書
【補正対象項目名】００１３
【補正方法】変更
【補正の内容】
【００１３】
また、上記目的を達成するために、本発明の映像表示装置の制御方法は、映像信号を表示する表示部と、当該表示部の周囲の外光の照度を検出する外光検出部とを備えた映像表示装置の制御方法であって、前記外光検出部で検出された照度検出値を取得する取得工程と、前記表示部に表示する映像信号のフレームデータ毎の平均輝度値を算出する算出工程と、前記算出工程で算出される平均輝度値が低輝度となる低輝度映像信号及び高輝度となる高輝度映像信号を前記表示部にそれぞれ表示させる表示工程と、前記表示工程によって前記低輝度映像信号及び前記高輝度映像信号をそれぞれ表示した際に前記取得工程で取得した照度検出値と、前記低輝度映像信号及び前記高輝度映像信号の平均輝度値とを用いて、前記表示部に映像を表示することで生じる反射光照度を決定する決定工程と、前記反射光照度と前記平均輝度値とを用いて、前記表示部に表示する映像信号の表示輝度を低減させる補正制御を実行する制御工程と、を有し、前記制御工程では、前記平均輝度値が第１の閾値よりも大きい場合であり、かつ前記反射光照度が大きい場合における前記表示輝度の低減度合いを、当該反射光照度が小さい場合における前記表示輝度の低減度合いに比べて大きくなるように補正制御を実行することを特徴とする。